(57)【要約】      （修正有）【課題】電子デバイスへの充電作業による飼い主の負担を減らすことが可能なリード装置、装着具、電力供給一ステム及び電力供給方法の提供。【解決手段】リードを有するリード部１１と、上記リード部１１に設けられ、装着具である首輪２０に連結可能な機構を有し、上記装着具２０の装着具接続部２２を介して上記リード部１１を上記装着具２０と電気的に接続させるリード接続部１３と、を備えるリード装置１０が提供され、充電装置４０はリード装置10に電力を供給する装置であり、非接触給電方式によりリード装置１０の２次電池１４に電力を給電する。【選択図】図２
2017042086.tif 000002
【特許請求の範囲】
【請求項１】
リードを有するリード部と、
前記リード部に設けられ、外部装置に連結可能な機構を有し、前記外部装置との連結点を介して前記リード部を前記外部装置と電気的に接続させるリード接続部と、
を備えるリード装置。
【請求項２】
前記リード部は、前記連結点を介して前記外部装置に電力を供給する、請求項１に記載のリード装置。
【請求項３】
前記電力は、前記リード部に設けられる電池により生成される、請求項２に記載のリード装置。
【請求項４】
前記電池は二次電池である、請求項３に記載のリード装置。
【請求項５】
前記二次電池は、充電装置から非接触給電される電力を蓄電する、請求項４に記載のリード装置。
【請求項６】
前記リード部は把持部をさらに備え、
前記電池は前記把持部の内部に設けられる、請求項３に記載のリード装置。
【請求項７】
前記電池は、前記リードの内部に設けられる、請求項３に記載のリード装置。
【請求項８】
前記リード接続部は電極を有し、前記リード接続部の電極と前記外部装置の電極とが前記連結点において接合することにより前記外部装置と電気的に接続される、請求項１に記載のリード装置。
【請求項９】
前記リード接続部は、前記リード接続部の電極と前記外部装置の電極とが接合された状態を保持するロック機構をさらに備える、請求項８に記載のリード装置。
【請求項１０】
前記リード接続部は、前記リード接続部の電極を保護するための電極カバーをさらに備える、請求項８に記載のリード装置。
【請求項１１】
前記外部装置は、生体に装着される装着具であり、前記装着具は少なくとも一の電子デバイスを有する、請求項１に記載のリード装置。
【請求項１２】
前記電子デバイスは、蓄電デバイスを含む、請求項１１に記載のリード装置。
【請求項１３】
前記電子デバイスは、前記生体に係る情報を取得するセンサを含む、請求項１１に記載のリード装置。
【請求項１４】
生体に装着可能な装着部と、
前記装着部に設けられ、リード装置と連結可能な機構を有し、前記リード装置との連結点を介して前記装着部を前記リード装置と電気的に接続させる接続部と、
を備える装着具。
【請求項１５】
前記装着部は、少なくとも一の電子デバイスを有する、請求項１４に記載の装着具。
【請求項１６】
リード装置と、
装着具と、
を備え、
前記リード装置は
リードを有するリード部と、
前記リード部に設けられ、前記装着具に連結可能な機構を有し、前記装着具との連結点を介して前記リード部を前記装着具と電気的に接続させるリード接続部と、
を備え、
前記装着具は、
生体に装着可能な装着部と、
前記装着部に設けられ、前記リード装置と連結可能な機構を有し、前記リード装置との連結点を介して前記装着部を前記リード装置と電気的に接続させる接続部と、
を備える電力供給システム。
【請求項１７】
前記リード部には前記連結点を介して前記装着具に供給するための電力を蓄電する二次電池が設けられ、
前記二次電池に電力を非接触給電するための充電装置をさらに備える、請求項１６に記載の電力供給システム。
【請求項１８】
リードを有するリード部と、
前記リード部に設けられ、外部装置に連結可能な機構を有し、前記外部装置との連結点を介して前記リード部と前記外部装置とが電気的に接続されるリード接続部と、
を備えるリード装置の前記リード接続部を、
生体に装着可能な装着部と、
前記装着部に設けられ、前記リード装置と連結可能な機構を有し、前記リード装置との連結点を介して前記装着部を前記リード装置と電気的に接続させる接続部と、
を備える装着具の前記接続部に連結させることと、
前記リード接続部と前記接続部との連結点を介して前記リード装置から前記装着具に電力を供給することと、
を含む、電力供給方法。
【発明の詳細な説明】
【技術分野】
【０００１】
本開示は、リード装置、装着具、電力供給システム及び電力供給方法に関する。
【背景技術】
【０００２】
近年、ペットの安全を確保すること、またはペットの健康状態を監視すること等を目的として、ペットに装着される首輪、またはハーネスなどの装着具に、様々な電子デバイスが取り付けられている。例えば、下記特許文献１に開示されているように、ペットの状態を検出するためのセンサが装着具に取り付けられている。
【０００３】
これらの装着具に取り付けられた電子デバイスを作動させるために、電子デバイスには電力が供給される。例えば、下記特許文献２には、電源を内包したリードおよび装着具（首輪）に電気的に接続するためのコネクタを有する構成が開示されている。かかる構成において、連結環を介してリードを装着具と連結するとともに、当該リードおよび装着具にそれぞれ設けられている各コネクタを接続することにより、装着具に取り付けられた発光体（電子デバイス）に電力を供給することができる。
【先行技術文献】
【特許文献】
【０００４】
【特許文献１】特開２００９−１７８１４２号公報
【特許文献２】特開２００３−１５８９３９号公報
【発明の概要】
【発明が解決しようとする課題】
【０００５】
しかし、上記特許文献２においては、リードと装着具とを連結する機構（連結環）と、電力を供給するためのコネクタが分離して設けられている。そのため、ペットの飼い主は、装着具に電力を供給するためには、単にリードと装着具とを連結する連結環を繋ぐだけではなく、コネクタを接続する必要があった。そのため、作業工数が増えるので飼い主の負担が大きかった。
【０００６】
そこで、本開示では、電子デバイスへの充電作業による飼い主の負担を減らすことが可能な、新規かつ改良されたリード装置、装着具、電力供給システム及び電力供給方法を提案する。
【課題を解決するための手段】
【０００７】
本開示によれば、リードを有するリード部と、上記リード部に設けられ、外部装置に連結可能な機構を有し、上記外部装置との連結点を介して上記リード部を上記外部装置と電気的に接続させるリード接続部と、を備えるリード装置が提供される。
【０００８】
また、本開示によれば、生体に装着可能な装着部と、上記装着部に設けられ、リード装置と連結可能な機構を有し、上記リード装置との連結点を介して上記装着部を上記リード装置と電気的に接続させる接続部と、を備える装着具が提供される。
【０００９】
また、本開示によれば、リード装置と、装着具と、を備え、上記リード装置はリードを有するリード部と、上記リード部に設けられ、上記装着具に連結可能な機構を有し、上記装着具との連結点を介して上記リード部を上記装着具と電気的に接続させるリード接続部と、を備え、上記装着具は、生体に装着可能な装着部と、上記装着部に設けられ、上記リード装置と連結可能な機構を有し、上記リード装置との連結点を介して上記装着部を上記リード装置と電気的に接続させる接続部と、を備える電力供給システムが提供される。
【００１０】
また、本開示によれば、リードを有するリード部と、上記リード部に設けられ、外部装置に連結可能な機構を有し、上記外部装置との連結点を介して上記リード部と上記外部装置とが電気的に接続されるリード接続部と、を備えるリード装置の上記リード接続部を、生体に装着可能な装着部と、上記装着部に設けられ、上記リード装置と連結可能な機構を有し、上記リード装置との連結点を介して上記装着部を上記リード装置と電気的に接続させる接続部と、を備える装着具の上記接続部に連結させることと、上記リード接続部と上記接続部との連結点を介して上記リード部から上記装着具に電力を供給することと、を含む、電力供給方法が提供される。
【発明の効果】
【００１１】
以上説明したように本開示によれば、電子デバイスへの充電作業による飼い主の負担を減らすことが可能である。
【００１２】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】本開示の一実施形態に係る電力供給システムの概要を示す概要図である。
【図２】同実施形態に係る電力供給システムの構成例を示すブロック図である。
【図３】同実施形態に係るリード接続部および装着具接続部の第１の構成例を示す図である。
【図４】同実施形態に係るリード接続部および装着具接続部の第２の構成例を示す図である。
【図５】同実施形態に係る第２の構成例のリード接続部と装着具接続部とが連結されている状態の一例を示す図である。
【図６】同実施形態に係るリード装置の第１の構成例を示す図である。
【図７】同実施形態に係るリード装置の第２の構成例を示す図である。
【図８】同実施形態に係るリード装置の第３の構成例を示す図である。
【図９】同実施形態に係る充電装置の構成例および充電装置によるリード装置の充電処理例を示す図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．本開示の一実施形態に係る電力供給システムの概要
２．電力供給システムの構成
３．接続部の構成例
４．リード装置の構成例
５．非接触給電システムの構成例
６．まとめ
【００１６】
＜１．本開示の一実施形態に係る電力供給システムの概要＞
まず、図１を参照して、本開示の一実施形態に係る電力供給システムの概要について説明する。図１は、本開示の一実施形態に係る電力供給システムの概要を示す概要図である。図１を参照すると、本開示の一実施形態に係る電力供給システムは、リード装置１０、首輪２０を含む。
【００１７】
リード装置１０は、ペットまたは家畜等の動物を散歩させる際に、当該動物を繋ぎ止めるためのリードを有する装置である。本実施形態において、リード装置１０は、リードにより実現されるリード部１１、リード部１１の一端に設けられる把持部１２、およびリード部１１の他端に設けられるリード接続部１３を備える。図１に示した例において、飼い主Ｐは把持部１２を把持しており、リード接続部１３は首輪２０の装着具接続部２２と連結している状態である。これにより、飼い主Ｐは、首輪２０を装着する犬Ｄを繋ぎ止めることができる。
【００１８】
首輪２０は、ペットまたは家畜等の動物に装着される装着具の一例である。本実施形態において、犬Ｄに装着される首輪２０にはセンサモジュール２３が取り付けられている。センサモジュール２３は、犬Ｄの活動量、心拍、呼吸数、または位置情報等のセンサ情報を取得するためのセンサ、および各センサを作動させるための電力を供給する二次電池等を備える。図１に示した例においては、首輪２０の装着部２１は犬Ｄの首に装着され、センサモジュール２３は、犬Ｄの胸部の周辺に位置するように装着部２１に取り付けられる。これにより、犬Ｄに係るセンサ情報を適切に取得することができる。また、装着部２１の一部に設けられる装着具接続部２２は、上述したリード装置１０のリード接続部１３と連結することが可能である。例えば、飼い主Ｐが犬Ｄを散歩させる際、リード装置１０を首輪２０に連結させるために、飼い主Ｐは装着具接続部２２をリード接続部１３と連結させる。これにより、犬Ｄは人物Ｐにより繋ぎ止められる。
【００１９】
また、本実施形態では、リード装置１０と首輪２０とが機械的に連結することにより、リード接続部１３および装着具接続部２２の連結点を介してリード装置１０と首輪２０とが電気的に接続される。これにより、リード装置１０と首輪２０が通電可能な状態となる。例えば、本実施形態に係る電気供給システムによれば、リード装置１０から首輪２０へ、リード接続部１３および装着具接続部２２を介して電力を供給することができる。供給する電力は、例えばリード装置１０の内部または外部に設けられる二次電池により生成され得る。首輪２０へ供給された電力は、例えばセンサモジュール２３に設けられる二次電池に蓄電される。
【００２０】
上記構成によれば、リード装置１０を首輪２０と連結することにより、リード装置１０は、従来のリードとして犬Ｄを繋ぎ止めるだけではなく、首輪２０に取り付けられているセンサモジュール２３に、リード装置１０から電力を供給することができる。これにより、センサモジュール２３の二次電池を充電することができる。したがって、犬Ｄの飼い主Ｐは、犬Ｄを散歩等に連れて行く際にリード装置１０を首輪２０と連結するだけで、センサモジュール２３の二次電池を充電することができる。よって、飼い主Ｐはセンサモジュール２３の二次電池をあえて充電しようと意識せずに二次電池を充電することが可能であるので、飼い主Ｐの負担が減少する。また、センサモジュール２３を首輪２０から取り外して充電しなくてもよくなるので、センサモジュール２３による犬Ｄのセンシングを中断する必要がなくなる。
【００２１】
＜２．電力供給システムの構成＞
次に、本実施形態に係る電力供給システム１の構成について説明する。図２は、本実施形態に係る電力供給システム１の構成例を示すブロック図である。図２を参照すると、電力供給システム１は、リード装置１０、および首輪２０を備える。また、本実施形態に係る電力供給システム１は、充電装置４０をさらに備えてもよい。
【００２２】
［２．１．リード装置］
本実施形態に係るリード装置１０は、首輪２０と物理的および電気的に接続されることにより、首輪２０を装着するペットの移動範囲を制限しつつ、首輪２０に電力を供給する装置である。図２を参照すると、リード装置１０は、リード部１１、およびリード接続部１３を備える。また、リード装置１０は、把持部１２、二次電池１４、および受電部１５をさらに備えてもよい。
【００２３】
（リード部）
リード部１１は、リードを有する。リードとは、犬、もしくは猫等のペット、または牛、馬、もしくは羊等の家畜等を繋ぎ止めておくための引き紐、または引き綱である。当該リードの材質、形状、および機構は特に限定されないが、ペットによる引張または噛みつきに耐え得る材質等であることが好ましい。また、当該リードは、巻取機構によって巻き取られ、または巻き戻されることにより伸縮可能なリードであってもよい。
【００２４】
さらに、リード部１１は、その内部に電線を有する。電線は、例えば、後述するリード接続部１３と二次電池１４との間に設けられる。これにより、二次電池１４とリード接続部１３とが電気的に接続される。また、リード装置１０に受電部１５が設けられる場合、二次電池１４と受電部１５との間に電線がさらに設けられてもよい。これにより、受電部１５から二次電池１４へ送電することができる。電線の材質、および形状は特に限定されないが、リード部１１の外部に漏電しないような材質または形状であることが好ましい。また、リード部１１の材質または形状は、上記電線から外部に漏電しないような材質または形状であることが好ましい。
【００２５】
（把持部）
また、リード部１１は、その端部に把持部１２を備えてもよい。把持部１２は、首輪２０を装着したペットを引き連れている人物がリード装置１０を把持するための部材である。把持部１２はリード部１１と一体化していてもよいし、リード部１１から分離していてもよい。本明細書において把持部１２は、リード部１１の一部として説明する。また、把持部１２の形状は特に限定されない。さらに、把持部１２の材質はリード部１１と異なってもよい。
【００２６】
（リード接続部）
リード接続部１３は、リード部１１の一端に設けられ、首輪２０の装着具接続部２２に連結することが可能な機構を有する接続部材（コネクタ）である。また、本実施形態に係るリード接続部１３は、装着具接続部２２との連結点を介して、リード部１１を首輪２０と電気的に接続させる。
【００２７】
例えば、リード接続部１３は、その全部または一部に電極を有する。リード接続部１３の電極と装着具接続部２２の電極を連結点において接合することにより、リード部１１と首輪２０とが電気的に接続される。これにより、リード接続部１３と装着具接続部２２とを接触するように連結させるだけで、リード部１１と首輪２０とを通電可能な状態とすることができる。よって、リード部１１は、連結点を介して首輪２０に電力を供給することができる。
【００２８】
リード接続部１３の電極の材質は、装着具接続部２２と電気的に接続させるために、少なくとも、装着具接続部２２との連結点とリード部１１とが金属等の通電材料により形成されていることが好ましい。また、リード接続部１３の電極以外の材質は特に限定されないが、電極からの漏電を防ぐために、ゴムまたはプラスチック等の絶縁性の材料であることが好ましい。また、リード接続部１３の構造および機構は特に限定されない。例えば、リード接続部１３の具体的な構造または機構は、後述するようなフック機構またはプラグ構造であってもよい。
【００２９】
また、リード接続部１３は、電極の接合状態を保持するためのロック機構をさらに有してもよい。当該ロック機構は、リード接続部１３と、装着具接続部２２とにより実現される機構である。当該ロック機構の構造は特に限定されず、公知の技術により実現される機構であってもよい。例えば、ロック機構は、機械的に連結状態を保持するような機構であってもよく、または、磁力等により連結状態を保持するような機構であってもよい。リード接続部１３にロック機構が設けられることにより、引張等の衝撃によるリード接続部１３と装着具接続部２２の離反を防止することができる。
【００３０】
さらに、リード接続部１３は、電極を保護するための電極カバーをさらに有してもよい。電極カバーは、リード接続部１３および装着具接続部２２の電極への水もしくは塵等の浸入、外部への漏電、または生体への感電を防ぐための保護部材である。電極カバーの材質は特に限定されないが、防水性、防塵性または絶縁性に優れた素材であることが好ましい。また、電極カバーの形状は特に限定されないが、リード接続部１３と装着具接続部２２との連結状態の有無にかかわらず電極への水または塵の浸入を極力防ぐことができるよう、リード接続部１３を覆うような形状であることが好ましい。
【００３１】
（二次電池）
二次電池１４は、電力を充放電する蓄電デバイスの一例である。二次電池１４の種類は特に限定されない。例えば、本実施形態においては、リチウムイオン電池、ポリマーニッケル水素電池、またはニッケルカドミウム電池等、多種多様な二次電池が二次電池１４として利用可能である。また、二次電池１４は、ポリマーリチウムイオン電池等のフレキシブル電池であってもよい。二次電池１４は、リード部１１の内部または外部に設けられる。例えば、二次電池１４は、リード部１１の把持部１２に内蔵されてもよい。また、リード部１１が巻取機構を有する場合、当該巻取機構の内部に二次電池１４が設けられてもよい。さらに、二次電池１４がフレキシブル電池であれば、リードの内部に長尺形状の二次電池１４が設けられてもよい。例えば、二次電池１４を実現するフレキシブル電池は、リードに沿ってリードの内部に形成されてもよい。
【００３２】
なお、本実施形態においてリード部１１に設けられる二次電池１４により電力が生成されるとしたが、本技術はかかる例に限定されない。例えば、リード部１１に設けられる電池は、乾電池、ボタン電池または太陽電池などの一次電池であってもよい。また、リード部１１に設けられる二次電池１４または一次電池の数は特に限定されない。例えば、リード部１１には、二次電池１４だけではなく一次電池がさらに設けられてもよい。また、リード部１１には、複数の二次電池１４が設けられてもよい。
【００３３】
また、リード部１１は電池を必ずしも含まなくてもよい。この場合、リード装置１０は、例えばリード部１１に設けられるプラグまたはコネクタ等を介して外部装置から電力を取得してもよい。また、リード部１１に電池が設けられない代わりに、手回し発電機等の小型の発電機構が設けられてもよい。
【００３４】
（受電部）
受電部１５は、非接触給電により充電装置４０の給電部４１から電力を受電するための機能を有する。受電部１５は、例えば、受電カプラまたは受電コイル、および受電回路により実現される。本実施形態に係る非接触給電の方式は特に限定されない。非接触給電の方式は、例えば、電磁誘導方式、電磁界共鳴方式、または電波方式等のいずれかであってもよい。なお、本実施形態において受電部１５は非接触給電により給電部４１から電力を受電するが、本技術はかかる例に限定されない。例えば、受電部１５は、プラグまたはコネクタ等を介して有線により電力を外部充電装置から受電してもよい。また、リード部１１が二次電池１４を有さない場合（例えば、乾電池、ボタン電池もしくは太陽電池を有する場合、または電池そのものを有さない場合）、リード部１１は受電部１５を必ずしも含めなくてもよい。
【００３５】
［２．２．首輪］
本実施形態に係る首輪２０は、ペットに装着される装着具の一例である。首輪２０は、リード装置１０と物理的および電気的に接続されることにより、首輪２０を装着するペットの移動範囲を制限しつつ、リード装置１０から電力を受電する装置である。図２を参照すると、首輪２０は、装着部２１、装着具接続部２２、およびセンサモジュール２３を備える。
【００３６】
（装着部）
装着部２１は、犬、もしくは猫等のペット、または牛、馬、もしくは羊等の家畜等の動物の首に装着される輪状部材である。装着部２１の材質、形状、および機構は特に限定されない。なお、本実施形態において装着部２１は輪状部材としたが、本技術はかかる例に限定されない。装着部２１は、例えば、ハーネス、またはくびきなど、動物の胴体に装着される装着部材であってもよい。また、装着部２１は、生体の頭部、四肢、耳、鼻、口、または尾等に装着する装着部材であってもよい。さらに、装着部２１は、マイクロチップが搭載されたタグなど、その一部が生体の皮膚に埋没されて設けられる装着部材等であってもよい。
【００３７】
また、装着部２１は、その内部に電線を有する。電線は、例えば、後述する装着具接続部２２とセンサモジュール２３との間に設けられる。これにより、センサモジュール２３と装着具接続部２２とが電気的に接続される。電線の材質および形状は特に限定されないが、装着部２１の外部に漏電しないような材質または形状であることが好ましい。また、装着部２１の材質または形状は、上記電線から外部に漏電しないような材質または形状であることが好ましい。
【００３８】
（装着具接続部）
装着具接続部２２は、装着部２１の一部に設けられ、リード装置１０のリード接続部１３に連結することが可能な機構を有する接続部材（コネクタ）である。また、本実施形態に係る装着具接続部２２は、リード接続部１３との連結点を介して、首輪２０をリード装置１０と電気的に接続させる。
【００３９】
例えば、装着具接続部２２は、その全部または一部に電極を有してもよい。装着具接続部２２の電極とリード接続部１３の電極を連結点において接合することにより、首輪２０とリード装置１０とが電気的に接続されてもよい。
【００４０】
装着具接続部２２の電極の材質は、リード接続部１３と電気的に接続させるために、少なくとも、リード接続部１３との連結点と装着部２１とが金属等の通電材料により接続されていることが好ましい。装着具接続部２２の電極以外の材質は特に限定されないが、電極からの漏電を防ぐために、ゴムまたはプラスチック等の絶縁性の材料であることが好ましい。また、装着具接続部２２の形状および機構は特に限定されない。例えば、装着具接続部２２の形状または機構は、後述するようなフック機構またはプラグ構造であってもよい。なお、装着具接続部２２の形状または機構は、リード接続部１３の形状または機構と対応していることが好ましい。
【００４１】
また、装着具接続部２２は、電極の接合状態を保持するためのロック機構をさらに有してもよい。当該ロック機構は、装着具接続部２２と、リード接続部１３とにより実現される機構である。装着具接続部２２にロック機構が設けられることにより、引張等の衝撃による装着具接続部２２とリード接続部１３の離反を防止することができる。
【００４２】
さらに、装着具接続部２２は、電極を保護するための電極カバーをさらに有してもよい。電極カバーは、リード接続部１３および装着具接続部２２の電極への水もしくは塵等の浸入、外部への漏電、または生体への感電を防ぐための保護部材である。電極カバーの材質は特に限定されないが、防水性、防塵性または絶縁性に優れた素材であることが好ましい。また、電極カバーの形状は特に限定されないが、リード接続部１３と装着具接続部２２との連結状態の有無にかかわらず電極への水または塵の浸入が防ぐことができるよう、装着具接続部２２を覆うような形状であることが好ましい。
【００４３】
なお、上述したロック機構および電極カバーは、リード接続部１３および装着具接続部２２を形成する部材とは他の部材により実現されてもよい。例えば、他の部材により実現されるロック機構または電極カバーは、リード接続部１３および装着具接続部２２の連結部分を覆い被せ、かつリード接続部１３と装着具接続部２２の連結状態を保持するような保持部材であってもよい。
【００４４】
（センサモジュール）
センサモジュール２３は、装着部２１の一部に設けられ、首輪２０を装着しているペットの活動状態等の情報を取得するセンサを含む装置である。センサモジュール２３は、装着部２１内部に設けられる電線を介して、装着具接続部２２と電気的に接続される。図２に示したように、センサモジュール２３は、二次電池３１、センサ部３２、コントローラ３３、メモリ３４、および通信部３５を備える。
【００４５】
（二次電池）
二次電池３１は、リード装置１０から供給された電力を蓄電する蓄電デバイスの一例である。二次電池３１の種類は特に限定されない。例えば、本実施形態においては、リチウムイオン電池、ポリマーニッケル水素電池、またはニッケルカドミウム電池等、多種多様な二次電池が二次電池３１として利用可能である。また、二次電池３１は、ポリマーリチウムイオン電池等のフレキシブル電池であってもよい。また、二次電池３１は、電気二重層キャパシタ等のキャパシタであってもよい。二次電池３１に蓄電された電力は、センサ部３２、コントローラ３３、メモリ３４、および通信部３５等の各電子デバイスに供給される。
【００４６】
センサモジュール２３に設けられる二次電池３１の蓄電容量は、センサモジュール２３が取り付けられた首輪２０を装着するペットの負担、およびセンサモジュール２３に設けられる各電子デバイスの消費電力量に応じて適宜選択され得る。例えば、ペットが小型犬または猫等の身体の小さい動物である場合、蓄電容量が大きい二次電池３１をセンサモジュール２３に設けるとすると、センサモジュール２３の重量が大きくなってしまうので、ペットにとって大きな負担となる。一方で、蓄電容量が小さい二次電池３１をセンサモジュール２３に設けるとすると、センサモジュール２３の各電子デバイスの電力の消費により、電力がすぐに尽きてしまう。そのため、従来は電力の消費速度を抑えるために、センサモジュール２３に設けられるセンサの種類を少なくするか、または、センサを作動してもよいタイミングを限定するよう制御する必要があった。そのため、センサモジュール２３により取得されるペットの活動状態に関する情報の質および量がともに少なかった。
【００４７】
そこで本実施形態では、首輪２０とリード装置１０とが連結された際に、装着具接続部２２およびリード接続部１３の連結点を介してリード装置１０から首輪２０へ電力が供給される。かかる構成により、リード装置１０を首輪２０に繋ぐだけで、リード装置１０から首輪２０へと供給される電力を二次電池３１が蓄電する。これにより、センサモジュール２３を取り外すことなく、リード装置１０を首輪に繋ぐだけでセンサモジュール２３の二次電池３１を充電することができる。したがって、二次電池３１の蓄電容量を大きくしなくても、日ごろからセンサモジュール２３の二次電池３１を簡単に充電することができる。よって、センサモジュール２３に設けられるセンサの数を増やすことができ、また、センサを継続的に作動させることができる。それゆえ、ペットの活動状態に関する情報の質および量を向上させることができ、よりペットの活動状態について詳しく知ることができる。また、二次電池３１の蓄電容量を小さく維持することができるので、二次電池３１の重量も小さく保つことができる。これにより、小型犬または猫等の身体の小さい動物に首輪２０を装着させても、これらの動物に対する物理的な負担が大きくならない。したがって、上記のような身体の小さい動物に首輪２０を装着させた場合に、首輪２０に取り付けられたセンサモジュール２３は当該動物の本来の活動状態を正しくセンシングすることができる。
【００４８】
（センサ部）
センサ部３２は、センサモジュール２３が取り付けられた首輪２０を装着するペットの活動状態等の情報を取得する。センサ部３２は、一または複数のセンサにより実現される。例えば、加速度センサ、ＧＰＳ（Global  Positioning  System）センサ、温度センサ、画像センサ、呼吸センサ、またはにおいセンサ等、センサ部３２を実現するセンサとして多種多様なセンサが選定され得る。これらのセンサを用いて、首輪２０を装着するペットの運動量、移動量、体温、代謝、心拍または表情等に係る情報を取得することができる。センサ部３２を実現するセンサの種類または数は、ペットに関して取得したい情報、センサモジュール２３の容積もしくは重量、または二次電池３１の蓄電容量もしくは出力可能電力等の各種仕様または条件等に応じて選定され得る。センサ部３２により得られたセンサ情報は、コントローラ３３に出力される。
【００４９】
（コントローラ）
コントローラ３３は、例えばＣＰＵ（Central  Processing  Unit）、ＭＰＵ（Micro  Processing  Unit）、またはＤＳＰ（Digital  Signal  Processor）等の各種のプロセッサによって実現され、センサモジュール２３全体の動作を制御する。また、コントローラ３３は、例えばマイコン（マイクロコントローラ：Microcontroller）等のプロセッサを有する小型の情報処理装置であってもよい。
【００５０】
コントローラ３３は、例えば、センサ部３２より取得したセンサ情報を、メモリ３４に記憶させてもよい。また、コントローラ３３は、取得したセンサ情報を通信部３５に出力してもよい。さらに、コントローラ３３は、装着具接続部２２とリード接続部１３とが連結しているか否かに応じて、センサ部３２または通信部３５の動作を制御してもよい。例えば、コントローラ３３は、２つの接続部が連結されている場合は、センサモジュール２３に電力が供給されるため、電力を多く消費する機能を実行するようセンサ部３２または通信部３５を制御してもよい。より具体的には、コントローラ３３は、２つの接続部が連結されている場合において、無線通信、またはＧＰＳによる測位等を行ってもよい。一方で、コントローラ３３は、２つの接続部が連結されていない場合、消費電力の小さい機能のみを実行するようセンサ部３２または通信部３５を制御してもよい。例えば、２つの接続部が連結されていない場合、コントローラ３３は、センサ部３２に含まれる複数のセンサのうち一のセンサのみを作動させるようセンサ部３２を制御してもよい。これにより、センサモジュール２３による電力の消費速度を抑えることができる。
【００５１】
（メモリ）
メモリ３４は、センサモジュール２３が備える記憶手段である。例えば、メモリ３４は、コントローラ３３が取得したセンサ情報、またはコントローラ３３によりセンサ情報に基づいて処理された内容を記憶してもよい。メモリ３４は、例えば、コントローラ３３が使用するプログラムおよび演算パラメータ等を記憶するＲＯＭ（Read  Only  Memory）、または適宜変化するパラメータ等を一時記憶するＲＡＭ（Random  Access  Memory）であってもよい。
【００５２】
また、図２には示されていないが、センサモジュール２３は、メモリ３４とは別に、ストレージを備えていてもよい。ストレージは、例えばフラッシュメモリまたはメモリーカード等であってもよい。例えば、センサ部３２から時系列に出力されるセンサ情報を記憶する場合において、コントローラ３３はメモリ３４ではなくストレージに当該センサ情報を記憶してもよい。これにより、より多くのセンサ情報を取得することができる。
【００５３】
（通信部）
通信部３５は、センサモジュール２３が備える通信手段であり、外部装置（例えば、スマートフォン、タブレット、ＰＣ（Personal  Computer）、サーバ、またはゲーム機等）とデータの送受信を行う。通信部３５は、例えば、無線、Ｂｌｕｅｔｏｏｔｈ（登録商標）、ＷｉＨＤ（Wireless  High  Definition）、ＷＬＡＮ（Wireless  Local  Area  Network）、Ｗｉ−Ｆｉ（Wireless  Fidelity）（登録商標）、ＮＦＣ（Near  Field  radio  Communication）、赤外線通信、ＬＴＥ（Long  Term  Evolution）、またはミリ波帯の電波により通信を行ってもよい。例えば、本実施形態に係る通信部３５は、センサ部３２から出力されるセンサ情報を上記外部装置に送信してもよい。
【００５４】
［２．３．充電装置］
充電装置４０は、リード装置１０に電力を給電する装置である。本実施形態に係る充電装置４０は、非接触給電方式によりリード装置１０の二次電池１４に電力を給電する。図２を参照すると、充電装置４０は、給電部４１、および電源回路４２を備える。
【００５５】
（給電部）
給電部４１は、非接触給電によりリード装置１０の受電部１５に電力を供給するための機能を有する。給電部４１は、例えば、給電カプラまたは給電コイル、および給電回路により実現される。本実施形態に係る非接触給電の方式は特に限定されない。なお、本実施形態において給電部４１は非接触給電により受電部１５に電力を供給するが、本技術はかかる例に限定されない。例えば、給電部４１は、プラグまたはコネクタ等を介して有線により電力をリード装置１０に供給してもよい。
【００５６】
（電源回路）
電源回路４２は、外部から電力を受電し、給電部４１に電力を供給する回路である。電源回路４２は、例えば定電圧回路等により実現される。
【００５７】
また、本実施形態に係る充電装置４０は、リード装置１０の二次電池１４を充電する際にリード装置１０を据え置くための充電台をさらに有する。リード装置１０を充電台に据え置くことにより、充電装置４０からリード装置１０へ電力が非接触給電により供給される。
【００５８】
［２．４．まとめ］
以上、本実施形態に係る電力供給システム１の構成、並びに、リード装置１０、首輪２０、および充電装置４０の各構成について説明した。本実施形態によれば、リード装置１０と首輪２０とを連結することにより、リード接続部１３と装着具接続部２２との連結点を介してリード装置１０と首輪２０とが電気的に接続され、リード装置１０から首輪２０へ電力が供給される。かかる構成により、首輪２０を装着するペットの飼い主は、例えばペットを連れて散歩に行く際に、リード装置１０を首輪２０に接続するだけで、首輪２０に取り付けられたセンサモジュール２３の有する二次電池３１を充電することができる。したがって、リードを首輪に繋ぐという日常的な行為により、センサモジュール２３の二次電池３１が自動的に充電される。よって、充電のためにセンサモジュール２３をペットから取り外す必要がなく、また、飼い主がセンサモジュール２３の二次電池３１を意識的に充電するための行為が不要となるので、飼い主にとっての負担が少なくなる。また、リード装置１０を首輪２０に繋ぐたびにセンサモジュール２３の二次電池３１が充電されるので、蓄電容量がある程度小さい二次電池を二次電池３１として用いることが可能となる。そのため、センサモジュール２３の重量が大きくならないので、小型犬または猫のような身体の小さい動物への物理的な負担を減らすことができる。よって、これらの動物の活動状態のセンシングも可能となる。また、二次電池３１の充電機会が多くなるため、センサモジュール２３の作動により消費される電力の許容量も大きくなる。そのため、センサモジュール２３において搭載できるセンサの種類を増やすことができ、またセンサの作動時間を長くすることができる。よって、首輪２０を装着するペットの活動状態をより細かく把握することが可能となる。
【００５９】
［２．５．補足］
なお、上述したリード装置１０、首輪２０、または充電装置４０には、各装置の充電状態を示す不図示の提示部がさらに設けられてもよい。例えば、首輪２０に提示部が設けられている場合、リード装置１０と首輪２０が連結されている状態において、当該提示部は、電力がリード装置１０から首輪２０へ供給されている状態、または首輪２０の二次電池３１の蓄電が完了した状態等を、種々の態様により示してもよい。より具体的には、当該提示部は、ＬＥＤ（Light  Emission  Diode）等の表示装置により実現されてもよい。この場合、当該表示装置は、上述した各充電状態に応じて、種々の発光色または発光パターンを示してもよい。これにより、リード装置１０を使用する飼い主は、首輪２０の二次電池３１の蓄電状態を知ることができる。なお、当該提示部を実現する装置は、上述した表示装置に限られず、例えば音声出力装置など、飼い主が各装置の充電状態を知覚することができる態様を示すことが可能な装置であれば、特に限定されない。
【００６０】
＜３．接続部の構成例＞
続いて、リード装置１０のリード接続部１３、および首輪２０の装着具接続部２２の具体的な構成について説明する。以下、図３〜図５を用いてリード接続部１３および装着具接続部２２の具体的態様について説明するが、本実施形態に係るリード接続部１３および装着具接続部２２の構成は以下に説明する構成に限定されない。例えば、リード装置１０と首輪２０との連結状態を保持することが可能であれば、いかなる態様も本技術の範疇に含まれ得る。
【００６１】
［３．１．フック機構の例］
図３は、本実施形態に係るリード接続部１３および装着具接続部２２の第１の構成例を示す図である。図３を参照すると、リード装置１０のリード部１１の端部にフック機構を有するリード接続部１３−１が設けられ、また、首輪２０の装着部２１の一部に、半リング状部材により実現される装着具接続部２２−１が設けられている。
【００６２】
リード接続部１３−１は、本体部材１３ａ、外れ止め部材１３ｂ、および開閉部材１３ｃを有する。本体部材１３ａ、および外れ止め部材１３ｂは、リード接続部１３−１の電極としての機能を有する。開閉部材１３ｃはロック機構の一例であり、外れ止め部材１３ｂを移動させて、本体部材１３ａおよび外れ止め部材１３ｂにより囲まれた空間を開閉する機能を有する。なお、開閉部材１３ｃを操作していない場合、不図示の弾性体により、上記空間を閉鎖するように外れ止め部材１３ｂが付勢される。これにより、装着具接続部２２−１がリード接続部１３−１から脱落することを防ぐことができる。
【００６３】
図３に示した例では、リング状部材の装着具接続部２２−１が上記空間に入り込んだ状態でリード接続部１３−１と掛合している。開閉部材１３ｃを用いて上記空間を開放するように外れ止め部材１３ｂを移動させることにより、外れ止め部材１３ｂの移動により生じた間隙から装着具接続部２２−１を上記空間へ入れ込むことができる。これにより、装着具接続部２２−１をリード接続部１３−１に掛合させることができる。
【００６４】
本構成例におけるリード接続部１３−１および装着具接続部２２−１は、例えば、電極として、金属などの導電性の材質により形成されてもよい。この場合、図３に示したように、リード接続部１３−１および装着具接続部２２−１との連結点Ｃにおいてリード接続部１３−１および装着具接続部２２−１が電気的に接続される。これにより、リード部１１および装着部２１内に埋設される電線を通じて、リード装置１０から首輪２０に電力が供給され得る。
【００６５】
なお、上述したリード接続部１３−１および装着具接続部２２−１は外部に露出している。そのため、リード接続部１３−１および装着具接続部２２−１を覆う保護部材がさらに設けられてもよい。これにより、連結部分を水または塵から保護することができ、また、２つの接続部に起因する漏電または感電を防ぐことができる。
【００６６】
［３．２．プラグ構造の例］
図４は、本実施形態に係るリード接続部１３および装着具接続部２２の第２の構成例を示す図である。図４を参照すると、まず、リード部１１の端部にプラグ１３ｅを有するリード接続部１３−２が設けられ、また装着部２１の一部に、プラグ受け２２ｂを有する装着具接続部２２−２が設けられている。
【００６７】
図４に示すリード接続部１３−２は、プラグケース１３ｄ、プラグ１３ｅ、プラグ側保護カバー１３ｆ、およびロック溝１３ｇを有する。プラグケース１３ｄはプラグ１３ｅを支持するための部材である。プラグケース１３ｄは絶縁性の材質により形成されることが好ましい。また、プラグケース１３ｄの形状は特に限定されず、円柱形または角柱形であってもよい。プラグ１３ｅは、電極としての機能を有する凸状部材であり、導電性の材質により形成される。また、プラグ１３ｅの端部はリード部１１に埋設される電線と接続している。プラグ側保護カバー１３ｆはプラグケース１３ｄの外周に設けられる部材である。ロック溝１３ｇは、プラグ側保護カバー１３ｆの内周面の一部に設けられる。より具体的には、ロック溝１３ｇは、リード接続部１３−２のプラグ１３ｅと装着具接続部２２−２のプラグ受け２２ｂが嵌合する際に、装着具接続部２２−２のロック機構２２ｄと嵌合可能な位置に設けられる
【００６８】
図４に示す装着具接続部２２−２は、プラグ受けケース２２ａ、プラグ受け２２ｂ、プラグ受け側保護カバー２２ｃ、およびロック機構２２ｄを有する。プラグ受けケース２２ａは、プラグ受け２２ｂが形成される穴を有する部材である。プラグ受けケース２２ａはプラグ受け２２ｂからの漏電を防ぐため、絶縁性の材質により形成されることが好ましい。また、プラグ受けケース２２ａの形状は、プラグケース１３ｄおよびプラグ側保護カバー１３ｆの形状に応じて決定される。プラグ受け２２ｂは、電極としての機能を有する凹状部材であり、導電性の材質により形成される。プラグ受け２２ｂの形状は、プラグ１３ｅを嵌合することが可能な形状である。また、プラグ受け２２ｂの底部は装着部２１に埋設される電線と接続している。プラグ受け側保護カバー２２ｃはプラグ受けケース２２ａの外周に設けられる部材である。図４に示した例においては、プラグ受けケース２２ａは、プラグ受け側保護カバー２２ｃから露出した状態で設けられている。ロック機構２２ｄは、プラグ受けケース２２ａの露出部分に設けられる。より具体的には、ロック機構２２ｄは、リード接続部１３−２のプラグ１３ｅが装着具接続部２２−２のプラグ受け２２ｂと嵌合する際に、リード接続部１３−２のロック溝１３ｇと嵌合することが可能な位置に設けられる。なお、装着具接続部２２−２は、ロック溝１３ｇと嵌合しているロック機構２２ｄをロック溝１３ｇから離間させるためのロック解除機構をさらに有してもよい。これにより、連結された首輪２０とリード装置１０とを離すことができる。
【００６９】
図５は、第２の構成例のリード接続部１３−２と装着具接続部２２−２とが連結されている状態の一例を示す図である。図５を参照すると、リード接続部１３−２のプラグ１３ｅが、装着具接続部２２−２のプラグ受け２２ｂに嵌合している。そのため、リード接続部１３−２と装着具接続部２２−２とが電気的に接続されるので、リード接続部１３−２から首輪２０に電力が供給され得る。また、プラグ側保護カバー１３ｆの端面は、プラグ受け側保護カバー２２ｃの端面と接触する。さらに、プラグ側保護カバー１３ｆはプラグ受けケース２２ａの露出部分を覆っている。これにより、水または塵から電極を保護することができる。
【００７０】
また、図５を参照すると、プラグ受けケース２２ａの露出部分に設けられたロック機構２２ｄが、プラグ側保護カバー１３ｆのロック溝１３ｇと嵌合している。これにより、リード装置１０と首輪２０との連結状態を保持することができる。例えば、首輪２０を装着したペットがリード装置１０を強く引っ張っても、プラグ１３ｅとプラグ受け２２ｂとの接続を維持することができる。
【００７１】
［３．３．補足］
なお、リード接続部１３および装着具接続部２２の構造は、図３〜図５に示した例に限定されない。例えば、リード接続部１３および装着具接続部２２の構造は、ねじによる締結構造により実現されてもよい。より具体的には、リード接続部１３がおねじ構造を有し、装着具接続部２２がめねじ構造を有し、かつ、各々のねじ構造が導電性の材質により形成されてもよい。これにより、リード接続部１３および装着具接続部２２は、ねじによる締結構造により連結され、かつ、リード接続部１３および装着具接続部２２の締結部分において、各々が電気的に接続され得る。また、リード接続部１３または装着具接続部２２の少なくともいずれかに、ねじの緩みを防ぐロック機構が設けられてもよい。また、リード接続部１３または装着具接続部２２の少なくともいずれかに、締結部分を保護する保護部材が設けられてもよい。また、リード接続部１３および装着具接続部２２の構造は、リード接続部１３と装着具接続部２２とを連結する機構を有し、かつ連結点においてリード接続部１３と装着具接続部２２とを電気的に接続する機構であれば、特に限定されない。
【００７２】
＜４．リード装置の構成例＞
続いて、リード装置１０の具体的な構成について説明する。以下、図６〜図８を用いてリード装置１０の具体的態様について説明するが、本実施形態に係るリード装置１０の構成は以下に説明する構成に限定されない。
【００７３】
［４．１．巻取り式リード装置の例］
図６は、本実施形態に係るリード装置１０の第１の構成例を示す図である。図６を参照すると、本構成例において、リード装置１０は巻取り式のリード装置により実現される。より具体的には、リード装置１０は、リード１１Ａａ、巻取機構１１Ａｂ、把持部１２Ａ、および二次電池１４Ａを有する。また、本構成例におけるリード装置１０は、不図示のリード接続部１３Ａをさらに有する。また、本構成例におけるリード部１１は、リード１１Ａａ、および巻取機構１１Ａｂを備える。
【００７４】
巻取機構１１Ａｂは、リード１１Ａａを巻き取り、または巻き戻すことにより、リード１１Ａａの長さを調整する機能を有する。巻き取られたリード１１Ａａは、巻取機構１１Ａｂにおいて円筒状に保持される。なお、巻取機構１１Ａｂは、リード１１Ａａを把持部１２Ａと接続することにより支持するためのリード支持体としての機能も有する。図６に示した例においては、二次電池１４Ａは、巻取機構１１Ａｂに巻き取られたリード１１Ａａが形成する円筒状の内部に位置するように設けられる。これにより、リード装置１０の内部の空間を有効活用することができる。また、巻取機構１１Ａｂに巻き取られたリード１１Ａａの端部と二次電池１４Ａとを容易に電気的に接続することができる。
【００７５】
［４．２．二次電池内蔵把持部の例］
図７は、本実施形態に係るリード装置１０の第２の構成例を示す図である。図７を参照すると、本構成例において、リード装置１０は円柱形の把持部１２Ｂを有するリード装置により実現される。より具体的には、リード装置１０は、リード１１Ｂａ、リード支持体１１Ｂｂ、把持部１２Ｂ、および二次電池１４Ｂを有する。また、本構成例におけるリード装置１０は、不図示のリード接続部１３Ｂをさらに有する。また、本構成例におけるリード部１１は、リード１１Ｂａ、およびリード支持体１１Ｂｂを備える。
【００７６】
本構成例に係る把持部１２Ｂは円柱形の構造を有している。そのため、首輪２０を装着しているペットの飼い主は、リード装置１０を容易に把持することができる。また、図７に示した例においては、把持部１２Ｂの内部には、二次電池１４Ｂが設けられる。これにより、リード装置１０の内部の空間を有効活用することができる。また、把持部１２Ｂに重い電子部材である二次電池１４Ｂが設けられるので、リード装置１０の重心が把持部１２Ｂに位置される。これにより、リード装置１０を違和感なく把持することができる。
【００７７】
［４．３．二次電池内蔵リードの例］
図８は、本実施形態に係るリード装置１０の第３の構成例を示す図である。図８を参照すると、本構成例において、リード装置１０は、リード１１Ｃａの内部に二次電池１４Ｃを有する。より具体的には、リード装置１０は、リード１１Ｃａ、リード支持体１１Ｃｂ、把持部１２Ｃ、リード接続部１３Ｃ、および二次電池１４Ｃを有する。また、本構成例におけるリード部１１は、リード１１Ｃａ、およびリード支持体１１Ｃｂを備える。
【００７８】
本構成例に係るリード１１Ｃａは、その内部に二次電池１４Ｃを有する。この場合、二次電池１４Ｃは、例えばポリマーリチウムイオン電池等のフレキシブル電池により実現される。これにより、リード１１Ｃａそのものを電源として実現することができる。したがって、リード装置１０の形状またはデザインをより柔軟に変更することができる。例えば、リード装置１０の把持部１２の形状または材質等を自由に変更することができる。なお、本構成例に係る二次電池１４Ｃはリード１１Ｃａの内部に設けられるので、ペットがリード１１Ｃａを引っ張ったり噛んだりした場合に、二次電池１４Ｃが破損したり、二次電池１４Ｃから電気が漏電する可能性がある。そのため、リード１１Ｃａの材質は、絶縁性の材質であり、かつ、強度の高い材質であることが好ましい。
【００７９】
＜５．非接触給電システムの構成例＞
次に、充電装置４０の具体的な構成、および充電装置４０による充電処理について説明する。以下、図９を用いて充電装置４０の具体的態様について説明するが、本実施形態に係る充電装置４０の構成は以下に説明する構成に限定されない。
【００８０】
［５．１．充電装置の例］
図９は、本実施形態に係る充電装置４０の構成例および充電装置４０によるリード装置１０の充電処理例を示す図である。図９を参照すると、本構成例において、充電装置４０は、据置台４０ａ、および給電部４１を有する。また、本構成例における充電装置４０は、不図示の電源回路４２をさらに有してもよい。なお、図９に示したリード装置１０は、図６に示した巻取式のリード装置と同一である。このリード装置１０は、巻取機構１１Ａｂの内部に、二次電池１４Ａ、および受電部１５Ａを有する。
【００８１】
本構成例に係る充電装置４０は、その内部に給電部４１を有する。給電部４１は、例えば据置台４０ａの直下に設けられてもよい。なお、据置台４０ａは、リード装置１０を据え置くための平台である。リード装置１０を据置台４０ａに置いたとき、給電部４１は、電源回路４２から供給される電力を、非接触給電方式を用いてリード装置１０の受電部１５Ａに送電する。受電部１５Ａが受電した電力は、二次電池１４Ａに蓄電される。かかる構成により、リード装置１０を使用する飼い主は、リード装置１０を首輪２０から離したあと、リード装置１０を据置台４０ａに置くだけで、リード装置１０を充電することができる。よって、飼い主はリード装置１０を容易に充電することができる。
【００８２】
＜６．まとめ＞
以上説明したように、本開示の一実施形態によれば、リード装置１０を、センサモジュール２３が取り付けられている首輪２０と機械的に連結することにより、当該連結点を介してリード装置１０と首輪２０とが電気的に接続される。かかる構成により、リード装置１０を首輪２０と連結させるだけで、リード装置１０から首輪２０に電力を供給することができる。したがって、首輪２０が装着されたペットの飼い主は、リード装置１０を単に首輪２０に接続するだけで、センサモジュール２３の二次電池３１を充電することができる。これにより、飼い主が意図的にセンサモジュール２３を充電しようとしなくても、リード装置１０を首輪２０と繋ぐだけで自動的にセンサモジュール２３の二次電池３１が充電される。よって、センサモジュール２３に搭載される二次電池３１の容量を大きくすることなく、センサモジュール２３に搭載されるセンサのバリエーションを増やすことができ、かつ、これらのセンサを長時間にわたって作動させることができる。これにより、ペットおよび飼い主の負担を減らし、かつ、ペットの活動状態をより細かく把握することが可能となる。
【００８３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００８４】
例えば、上記実施形態では、リード接続部１３の電極と装着具接続部２２の電極とが連結点において接合することにより両者が電気的に接続される例を説明したが、本技術はかかる例に限定されない。例えば、リード接続部１３と装着具接続部２２が連結された場合に、リード接続部１３から装着具接続部２２へ非接触給電により電力が供給されてもよい。
【００８５】
また、上記実施形態では、センサモジュール２３が首輪２０に取り付けられる例を説明したが、本技術はかかる例に限定されない。例えば、首輪２０には、センサモジュール２３に限らず、ＬＥＤ等、他の電子デバイスが取り付けられてもよい。首輪２０に取り付けられる電子デバイスの数は特に限定されない。
【００８６】
また、上記実施形態では、外部装置の一例である首輪２０（装着具）がペットまたは家畜等の動物に適用される例を説明したが、本技術はかかる例に限定されない。例えば、装着具は、乳幼児、または高齢者等の人間にも適用され得る。本開示の装着具が人間に適用される場合、装着具は、例えば、リストバンド、ベルト、またはハーネス等により実現され得る。
【００８７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００８８】
なお、以下のような構成も本開示の技術的範囲に属する。
（１）
リードを有するリード部と、
前記リード部に設けられ、外部装置に連結可能な機構を有し、前記外部装置との連結点を介して前記リード部を前記外部装置と電気的に接続させるリード接続部と、
を備えるリード装置。
（２）
前記リード部は、前記連結点を介して前記外部装置に電力を供給する、前記（１）に記載のリード装置。
（３）
前記電力は、前記リード部に設けられる電池により生成される、前記（２）に記載のリード装置。
（４）
前記電池は二次電池である、前記（３）に記載のリード装置。
（５）
前記二次電池は、充電装置から非接触給電される電力を蓄電する、前記（４）に記載のリード装置。
（６）
前記リード部は把持部をさらに備え、
前記電池は前記把持部の内部に設けられる、前記（３）〜（５）のいずれか１項に記載のリード装置。
（７）
前記電池は、前記リードの内部に設けられる、前記（３）〜（５）のいずれか１項に記載のリード装置。
（８）
前記リード接続部は電極を有し、前記リード接続部の電極と前記外部装置の電極とが前記連結点において接合することにより前記外部装置と電気的に接続される、前記（１）〜（７）のいずれか１項に記載のリード装置。
（９）
前記リード接続部は、前記リード接続部の電極と前記外部装置の電極とが接合された状態を保持するロック機構をさらに備える、前記（８）に記載のリード装置。
（１０）
前記リード接続部は、前記リード接続部の電極を保護するための電極カバーをさらに備える、前記（８）または（９）に記載のリード装置。
（１１）
前記外部装置は、生体に装着される装着具であり、前記装着具は少なくとも一の電子デバイスを有する、前記（１）〜（１０）のいずれか１項に記載のリード装置。
（１２）
前記電子デバイスは、蓄電デバイスを含む、前記（１１）に記載のリード装置。
（１３）
前記電子デバイスは、前記生体に係る情報を取得するセンサを含む、前記（１１）または（１２）に記載のリード装置。
（１４）
生体に装着可能な装着部と、
前記装着部に設けられ、リード装置と連結可能な機構を有し、前記リード装置との連結点を介して前記装着部を前記リード装置と電気的に接続させる接続部と、
を備える装着具。
（１５）
前記装着部は、少なくとも一の電子デバイスを有する、前記（１４）に記載の装着具。
（１６）
リード装置と、
装着具と、
を備え、
前記リード装置は
リードを有するリード部と、
前記リード部に設けられ、前記装着具に連結可能な機構を有し、前記装着具との連結点を介して前記リード部を前記装着具と電気的に接続させるリード接続部と、
を備え、
前記装着具は、
生体に装着可能な装着部と、
前記装着部に設けられ、前記リード装置と連結可能な機構を有し、前記リード装置との連結点を介して前記装着部を前記リード装置と電気的に接続させる接続部と、
を備える電力供給システム。
（１７）
前記リード部には前記連結点を介して前記装着具に供給するための電力を蓄電する二次電池が設けられ、
前記二次電池に電力を非接触給電するための充電装置をさらに備える、前記（１６）に記載の電力供給システム。
（１８）
リードを有するリード部と、
前記リード部に設けられ、外部装置に連結可能な機構を有し、前記外部装置との連結点を介して前記リード部と前記外部装置とが電気的に接続されるリード接続部と、
を備えるリード装置の前記リード接続部を、
生体に装着可能な装着部と、
前記装着部に設けられ、前記リード装置と連結可能な機構を有し、前記リード装置との連結点を介して前記装着部を前記リード装置と電気的に接続させる接続部と、
を備える装着具の前記接続部に連結させることと、
前記リード接続部と前記接続部との連結点を介して前記リード装置から前記装着具に電力を供給することと、
を含む、電力供給方法。
【符号の説明】
【００８９】
１      電力供給システム
１０    リード装置
１１    リード部
１２    把持部
１３    リード接続部
１４    二次電池
１５    受電部
２０    首輪
２１    装着部
２２    装着具接続部
２３    センサモジュール
３１    二次電池
３２    センサ部
３３    コントローラ
３４    メモリ
３５    通信部
４０    充電装置
４１    給電部
４２    電源回路
【図１】
2017042086.tif 000003
【図２】
2017042086.tif 000004
【図３】
2017042086.tif 000005
【図４】
2017042086.tif 000006
【図５】
2017042086.tif 000007
【図６】
2017042086.tif 000008
【図７】
2017042086.tif 000009
【図８】
2017042086.tif 000010
【図９】
2017042086.tif 000011